(57)【要約】【課題】本発明は、シートバックに固定するための取付プレートを備えたヘッドレストを製造するにあたって、金型に対する取付プレートの取り付け作業を容易にする一体発泡成形用金型とヘッドレストの一体発泡成形品の製造方法を提供する。【解決手段】ヘッドレストの一体発泡成形用金型１０において、下型１１に形成された凹部１３内にスライド型１４を収容させる前すなわち型開きの状態で、取付プレート７の突当て片７ａを、中子２１とスライド型１４の装着面１４ｂとで挟持させることができるので、スライド型１４に対する取付プレート７の取り付け作業を容易に行うことができる。【選択図】図４
2015003411.tif 000002
【特許請求の範囲】
【請求項１】
トリムカバー内に発泡体が充填され、シートバックに固定するための取付プレートをトリムカバーから露出させたヘッドレストを製造するための一体発泡成形用金型において、
分割可能な上型及び下型と、
前記上型と前記下型との間で前記トリムカバーを収容するキャビティと、
磁性体からなると共に、前記下型に形成された凹部内に下方向にスライドしながら収容されるスライド型と、
磁性を有すると共に、磁性体からなる前記取付プレートに磁気吸着させる中子と、を備え、
前記取付プレートを前記中子の磁力によって前記スライド型に固着させることを特徴とするヘッドレストの一体発泡成形用金型。
【請求項２】
前記取付プレートには、前記スライド型に形成された第１の穴部内に挿入される取付ボルトが設けられることを特徴とする請求項１記載のヘッドレストの一体発泡成形用金型。
【請求項３】
前記スライド型には、前記取付プレートを貫通すると共に、前記中子に形成された第２の穴部内に挿入される位置決めピンが設けられていることを特徴とする請求項１記載のヘッドレストの一体発泡成形用金型。
【請求項４】
分割可能な上型及び下型とからなるヘッドレストの一体発泡成形用金型のキャビティにトリムカバーを収容し、該トリムカバー内にシートバックに固定するための取付プレートをトリムカバーから露出させた後、トリムカバー内に発泡体を充填して、取付プレートをトリムカバーから露出させたヘッドレストを製造するヘッドレストの一体発泡成形品の製造方法において、
前記取付プレートを、前記スライド型と前記中子とで挟持して、取付プレート、スライド型、中子を一体化した後、前記トリムカバーを有する金型に収容して発泡体を一体発泡成形し、一体発泡成形後、一体化した取付プレート、スライド型、中子を脱型して製造することを特徴とするヘッドレストの一体発泡成形品の製造方法。
【発明の詳細な説明】
【技術分野】
【０００１】
本発明は、ヘッドレストをトリムカバー(表皮)との一体発泡によって成形するための金型、および、このヘッドレストを一体発泡によって成形する製造方法に関するものである。
【背景技術】
【０００２】
従来から利用されているヘッドレストとして特開２０００−１９８１２５号公報がある。このヘッドレストを製造する場合、袋状に縫製されたトリムカバーを金型内にセットする前に、トリムカバーにＵ字状のステーを装着させ、トリムカバーからステーの左右の直状部を露出させる。そして、トリムカバーにステーを装着した状態で、トリムカバーを金型のキャビティ内にセットする。このとき、トリムカバーの中央に配置された中子型のセット穴内に、金型のセットピンを挿入させて、トリムカバーを金型内にセットする。その後、型締めを行った後、注入ノズルからウレタン発泡液を金型内のトリムカバー内に注入してヘッドレストを製造する。また、ステーを備えたヘッドレストにおいて、中子型を載置させるための穴部が無い場合、ステーの直状部に形成されたヘッドレスト高さ調整用の切欠き溝を利用しているので、金型に対して、ステーを位置合わせしながら取り付け作業を行うことができる。
【先行技術文献】
【特許文献】
【０００３】
【特許文献１】特開２０００−１９８１２５号公報
【発明の概要】
【発明が解決しようとする課題】
【０００４】
しかしながら、前記ステーの代わりに、シートバックに固定するための取付プレートを備えたヘッドレストにあっては、Ｕ字状のステーのヘッドレスト高さ調整用の切欠き溝を利用することができないので、金型に対して取付プレートを、位置合わせしながら取り付け作業を行うことが難しいといった問題点があった。
【０００５】
本発明は、シートバックに固定するための取付プレートを備えたヘッドレストを製造するにあたって、金型に対する取付プレートの取り付け作業を容易に行うことができる一体発泡成形用金型およびヘッドレストの製造方法を提供することを目的とする。
【課題を解決するための手段】
【０００６】
本発明は、トリムカバー内に発泡体が充填され、シートバックに固定するための取付プレートをトリムカバーから露出させたヘッドレストを製造するための一体発泡成形用金型において、
分割可能な上型及び下型と、
前記上型と前記下型との間で前記トリムカバーを収容するキャビティと、
磁性体からなると共に、前記下型に形成された凹部内に下方向にスライドしながら収容されるスライド型と、
磁性を有すると共に、磁性体からなる前記取付プレートに磁気吸着させる中子と、を備え、
前記取付プレートを前記中子の磁力によって前記スライド型に固着させることを特徴とする。
【０００７】
このヘッドレストの一体発泡成形用金型において、下型に形成された凹部内にスライド型を収容させる前に、取付プレートを中子の磁力によってスライド型に固着させることができるので、中子の磁力を利用して、スライド型に対する取付プレートの取り付け作業を容易に行うことができる。
【０００８】
また、前記取付プレートには、前記スライド型に形成された第１の穴部内に挿入される取付ボルトが設けられ、前記スライド型には、前記取付プレートを貫通すると共に、前記中子に形成された第２の穴部内に挿入される位置決めピンが設けられていると好適である。
このような構成を採用すると、取付プレートに設けられた取付ボルトを利用してスライド型に対する取付プレートの位置決めを可能にし、しかも、スライド型に設けられた位置決めピンで、磁性を有する中子の位置決めも可能にし、これによって、スライド型のスライド時に、取付プレート及び中子の脱落や位置ズレを確実に防止することができる。
【０００９】
本発明ヘッドレストの一体発泡成形品の製造方法は、分割可能な上型及び下型とからなるヘッドレストの一体発泡成形用金型のキャビティにトリムカバーを収容し、該トリムカバー内にシートバックに固定するための取付プレートをトリムカバーから露出させた後、トリムカバー内に発泡体を充填して、取付プレートをトリムカバーから露出させたヘッドレストを製造するヘッドレストの一体発泡成形品の製造方法において、前記取付プレートを、前記スライド型と前記中子とで挟持して、取付プレート、スライド型、中子を一体化した後、前記トリムカバーを有する金型に収容して発泡体を一体発泡成形し、一体発泡成形後、一体化した取付プレート、スライド型、中子を脱型して製造することを特徴とするものである。
製造方法によれば、金型にスライド型を収容させる前に、取付プレートを位置決めして中子で挟持して、スライド型に固着させることができるので、スライド型に対する取付プレートの取り付け作業を容易に行うことができ、しかも、的確な位置に、取付プレートを取り付けることができ、シートバックに固定するための取付プレートをトリムカバーから露出させたヘッドレストを容易に確実に製造することができる。また、一体発泡成形後、取付プレート、スライド型、中子が一体化されているので、脱型し易く製造の効率が良い。
【発明の効果】
【００１０】
本発明によれば、シートバックに固定するための取付プレートを備えたヘッドレストを製造するにあたって、金型に対する取付プレートの取り付け作業を容易に行うことができる。
本発明方法によれば、取付プレート、スライド型、中子を一体化して、発泡体を一体発泡成形し、一体発泡成形後、一体化した取付プレート、スライド型、中子を脱型するため、取付プレートを的確な位置にトリムカバーから露出させたヘッドレストを容易に且つ効率よく製造することができる。
【図面の簡単な説明】
【００１１】
【図１】本発明に係るヘッドレストの一体発泡成形用金型を適用するヘッドレストの一例を示す斜視図である。
【図２】ヘッドレストをシートバックに固定した状態を示す側面図である。
【図３】本発明に係るヘッドレストの一体発泡成形用金型の一実施形態を示す斜視図である。
【図４】図３に示された金型の断面図である。
【図５】金型にセットするためのセット部品組立体を示す斜視図である。
【図６】スライド型に中子を利用して取付プレートを装着させる状態を示す断面図である。
【図７】型閉め後の金型を示す断面図である。
【発明を実施するための形態】
【００１２】
以下、図面を参照しつつ本発明に係るヘッドレストの一体発泡成形用金型およびヘッドレストの一体発泡成形品の製造方法の好適な実施形態について詳細に説明する。
【００１３】
図１及び図２に示されるように、一体発泡成形品としてのヘッドレストＨＲは、袋状に縫製されたトリムカバー２と、このトリムカバー２内に注入された発泡液(例えば発泡性ウレタン)が硬化してなる発泡体としてのパッド３と、このパッド３内に一部が埋設された芯材５と、からなる。
【００１４】
表皮をなすトリムカバー２は、通気性がない合成皮と、合成皮の裏面に固着されて、スラブウレタンフォーム材からなるワディングからなり、２層タイプのものが利用されている。また、芯材５は、パイプ材からなるフレーム６と、フレーム６の両端に溶接で固定された断面Ｌ字状の取付プレート７と、からなる。
【００１５】
取付プレート７は、トリムカバー２の後面から露出する突当て片７ａと、フレーム６の両端に溶接される連結片７ｂと、からなる。そして、連結片７ｂの後端は、トリムカバー２の後面から露出し、突当て片７ａには、シートバックＳＢのフレーム８にナット９で固定するための取付ボルト４が立設されている。
【００１６】
図３及び図４に示されるように、このようなヘッドレストＨＲは、一体発泡成形用金型１０によって製造される。この金型１０は、下型１１と、下型１１の後端でヒンジ部１５を介して連結された上型１２と、下型１１に形成された凹部１３内に下方にスライドしながら収容されると共に、取付プレート７の突当て片７ａの装着を可能にしたスライド型１４と、上型１２と下型１１との間でトリムカバー２を収容するためのキャビティＣと、を備えている。
【００１７】
上型１２は、ヒンジ部１５で下型１１に連結された上型本体１２ａと、上型本体１２ａの前端でヒンジ部１６を介して連結された中蓋１２ｂと、からなる。このように、上型１２が二分割されることで、型閉じの際、上型１２の取り扱い性が良好になる。
【００１８】
中蓋１２ｂの下面には、発泡液注入ノズルＮの収容を可能にしたノズル収容凹部１７の第１の半部１７ａが設けられ、スライド型１４の上面には、ノズル収容凹部１７の第２の半部１７ｂが設けられている。
【００１９】
また、磁性体からなるスライド型１４を収容するための凹部１３は、下型１１のキャビティＣの下壁面１１ａから連続して下方に向けて形成され、この凹部１３の後壁面には、斜め上方で且つ前方に向かって傾斜するガイド斜面１３ａが形成されている。
【００２０】
そして、スライド型１４の前面には、凹部１３のガイド斜面１３ａに当接する傾斜面１４ａが形成されている。また、このスライド型１４の後面には、鉛直方向に延在して取付プレート７の突当て片７ａを当接させる装着面１４ｂが設けられている。なお、スライド型１４は、自動又は手動により、ガイド斜面１３ａに沿って上下方向にスライドさせることができる。
【００２１】
このように構成された金型１０には、図３及び図５に示されるようなセット部品組立体２０がセットされる。このセット部品組立体２０は、袋状に縫製されたトリムカバー２と、トリムカバー２の後面からフレーム６が挿入される芯材５と、トリムカバー２の後面から差し込まれる発泡液注入ノズルＮと、芯材５の突当て片７ａに固着される中子２１と、からなる。
【００２２】
中子２１は、三角形状をなる突当て片７ａに近似した形状の磁石で形成されると共に、磁性体からなる取付プレート７の突当て片７ａに磁気吸着させることができる。なお、中子２１は、突当て片７ａにおいて、取付ボルト４が設けられた面に対面する面に装着される。なお、中子２１の表面の上部２１ｂは、キャビティＣの壁面の一部として利用されている。
【００２３】
さらに、図４及び図６に示されるように、スライド型１４の装着面１４ｂには、取付プレート７の突当て片７ａに設けられた取付ボルト４が挿入される第１の穴部２２が形成されている。スライド型１４には、取付プレート７の突当て片７ａを貫通する貫通孔７ｃを貫通すると共に、中子２１に形成された第２の穴部２１ａ内に挿入される位置決めピン２３が設けられている。
【００２４】
このヘッドレストの一体発泡成形用金型１０において、下型１１に形成された凹部１３内にスライド型１４を収容させる前すなわち型開きの状態で、取付プレート７の突当て片７ａを、中子２１の磁力によってスライド型１４の装着面１４ｂに挟んで  固着させることができるので、中子２１の磁力を利用して、スライド型１４に対する取付プレート７の取り付け作業を容易に行うことができる。
【００２５】
そして、取付ボルト４と第１の穴部２２との協働により、取付プレート７の突当て片７ａに設けられた取付ボルト４を利用してスライド型１４に対する取付プレート７の位置決めを可能にする。しかも、位置決めピン２３と第２の穴部２１ａとの協働により、スライド型１４に設けられた位置決めピン２３で、磁石からなる中子２１の位置決めも可能にする。よって、スライド型１４のスライド時に、取付プレート７及び中子２１の脱落や位置ズレを確実に防止することができる。
【００２６】
図７に示されるように、成形にあたって、先ず、下型１１にセット部品組立体２０のトリムカバー２をセットし、最上位置まで上昇させたスライド型１４に芯材５の突当て片７ａをセットし(図６参照)、スライド型１４の第２の半部１７ｂに発泡液注入ノズルＮをセットする。その後、スライド型１４を降下させ、上型１２を閉めて型締めを行う。この状態で、発泡液注入ノズルＮから発泡液をトリムカバー２内に注入して、トリムカバー２内にパッド３を形成する。
【００２７】
成形完了後、上型１２を開いて、スライド型１４を上昇させる。このとき、中子２１の磁力によってスライド型１４に取付プレート７が固着された状態になっているので、完成品としてのヘッドレストＨＲが一緒に上昇して、脱型する。
【００２８】
そして、完成品としてのヘッドレストＨＲを金型１０から取り出す。このとき、中子２１の磁力によって、中子２１は、取付プレート７の突当て片７ａに吸着された状態で金型１０から取り出されるので、金型１０内に中子２１が残存してしまう事態が起こらない。
【００２９】
本発明は、前述した実施形態に限定されないことは言うまでもない。図示しない他の例として、中子２１には、取付プレート７の突当て片７ａを貫通すると共に、スライド型１４に形成された第２の穴部内に挿入される位置決めピンが設けられていてもよい。
【符号の説明】
【００３０】
２…トリムカバー  ３…パッド  ４…取付ボルト  ５…芯材  ７ａ…突当て片  １０…一体発泡成形用金型  １１…下型  １２…上型  １３…凹部  １７…ノズル収容凹部  ２０…セット部品組立体  ２１…中子  ２１ａ…第２の穴部  ２２…第１の穴部  ２３…位置決めピン  Ｃ…キャビティ  ＨＲ…ヘッドレスト  Ｎ…発泡液注入ノズル  ＳＢ…シートバック
【図１】
2015003411.tif 000003
【図２】
2015003411.tif 000004
【図３】
2015003411.tif 000005
【図４】
2015003411.tif 000006
【図５】
2015003411.tif 000007
【図６】
2015003411.tif 000008
【図７】
2015003411.tif 000009